【手続補正書】
【提出日】平成29年5月16日(2017.5.16)
【手続補正１】
【補正対象書類名】特許請求の範囲
【補正対象項目名】全文
【補正方法】変更
【補正の内容】
【特許請求の範囲】
【請求項１】
拡大されている物体を観察するための観察器であって、
前記観察器は、
対物面に位置する物体の像を生成するための、開口絞りによって規定される径方向範囲を有する対物レンズと、
前記対物レンズからミラー装置へと光が透過することを許容し、前記ミラー装置から返ってくる光の反射を提供する部分透過型反射器と、
前記部分透過型反射器から光成分を受け取り、前記物体の合焦像が前記ミラー装置において生成され、前記ミラー装置によって受け取られる光が前記部分透過型反射器へと反射され、中継されて前記物体の像が生成されるように配置されているミラー装置と、
観察面にある射出瞳において観察者によって観察可能である前記物体の光学像を生成するための観察用レンズ装置と
を備え、
前記対物レンズは、前記対物レンズの光軸が前記対物面に交わる点からの一定の角度であり、前記対物面から前記対物レンズへの前記光軸に沿った距離および前記開口絞りの径方向範囲によって規定されるものとしてのビーム路程角（α）を有し、
前記観察器は、前記ミラー装置の光軸における前記ミラー装置上の一点からの一定の角度であり、前記ミラー装置から前記観察面への前記光軸に沿った距離および前記観察面にある前記射出瞳の径方向範囲によって規定されるものとしての観察角（β）を有し、
前記観察器は、前記ビーム路程角（α）と前記観察角（β）との変位比が少なくとも３：１であるように構成されており、それによって、前記観察者には、前記観察者の頭部の変位の範囲に対して、観察されている前記物体の奥行き知覚のより大きな変化がもたらされる、観察器。
【請求項２】
前記ビーム路程角（α）と前記観察角（β）との前記変位比は少なくとも４：１である、請求項１に記載の観察器。
【請求項３】
前記ビーム路程角（α）と前記観察角（β）との前記変位比は少なくとも５：１である、請求項１に記載の観察器。
【請求項４】
前記ビーム路程角（α）と前記観察角（β）との前記変位比は少なくとも６：１である、請求項１に記載の観察器。
【請求項５】
前記ビーム路程角（α）と前記観察角（β）との前記変位比は少なくとも８：１である、請求項１に記載の観察器。
【請求項６】
前記ビーム路程角（α）と前記観察角（β）との前記変位比は少なくとも１０：１である、請求項１に記載の観察器。
【請求項７】
前記ビーム路程角（α）と前記観察角（β）との前記変位比は少なくとも１２：１である、請求項１に記載の観察器。
【請求項８】
前記ビーム路程角（α）と前記観察角（β）との前記変位比は少なくとも１３：１である、請求項１に記載の観察器。
【請求項９】
前記ビーム路程角（α）は少なくとも６度である、請求項１〜８のいずれかに記載の観察器。
【請求項１０】
前記ビーム路程角（α）は少なくとも８度である、請求項１〜８のいずれかに記載の観察器。
【請求項１１】
前記ビーム路程角（α）は少なくとも９度である、請求項１〜８のいずれかに記載の観察器。
【請求項１２】
前記ビーム路程角（α）は少なくとも１０度である、請求項１〜８のいずれかに記載の観察器。
【請求項１３】
前記ビーム路程角（α）は少なくとも１２度である、請求項１〜８のいずれかに記載の観察器。
【請求項１４】
前記ビーム路程角（α）は少なくとも１３度である、請求項１〜８のいずれかに記載の観察器。
【請求項１５】
前記観察角（β）は２度以下である、請求項１〜１４のいずれかに記載の観察器。
【請求項１６】
前記観察角（β）は１．５度以下である、請求項１〜１４のいずれかに記載の観察器。
【請求項１７】
前記ミラー装置によって受け取られる前記光成分は、前記部分透過型反射器を通過する、請求項１〜１６のいずれかに記載の観察器。
【請求項１８】
前記ミラー装置から受け取られ、前記部分透過型反射器によって中継される前記光は、前記部分透過型反射器によって反射される、請求項１〜１７のいずれかに記載の観察器。
【請求項１９】
前記対物レンズは、前記対物面から前記光軸に沿って１２０ｍｍ未満の距離に位置する、請求項１〜１８のいずれかに記載の観察器。
【請求項２０】
前記対物レンズは、前記対物面から前記光軸に沿って１００ｍｍ未満の距離に位置する、請求項１〜１８のいずれかに記載の観察器。
【請求項２１】
前記対物レンズは、前記対物面から前記光軸に沿って８０ｍｍ未満の距離に位置する、請求項１〜１８のいずれかに記載の観察器。
【請求項２２】
前記対物レンズは、前記対物面から前記光軸に沿って６０ｍｍ未満の距離に位置する、請求項１〜１８のいずれかに記載の観察器。
【請求項２３】
前記開口絞りは少なくとも３０ｍｍの開口直径を有する、請求項１〜２２のいずれかに記載の観察器。
【請求項２４】
前記開口絞りは少なくとも３５ｍｍの開口直径を有する、請求項１〜２２のいずれかに記載の観察器。
【請求項２５】
前記開口絞りは少なくとも４０ｍｍの開口直径を有する、請求項１〜２２のいずれかに記載の観察器。
【請求項２６】
前記部分透過型反射器は半透過型反射器を含む、請求項１〜２５のいずれかに記載の観察器。
【請求項２７】
前記部分透過型反射器は、部分透過鏡、任意選択的に半透平面鏡を含む、請求項３６に記載の観察器。
【請求項２８】
前記部分透過型反射器における前記光軸によって与えられるものとしての前記観察器の光心は、前記観察面から前記光軸に沿って少なくとも１５０ｍｍの距離に位置する、請求項１〜２７のいずれかに記載の観察器。
【請求項２９】
前記部分透過型反射器における前記光軸によって与えられるものとしての前記観察器の光心は、前記観察面から前記光軸に沿って少なくとも１８０ｍｍの距離に位置する、請求項１〜２７のいずれかに記載の観察器。
【請求項３０】
前記部分透過型反射器における前記光軸によって与えられるものとしての前記観察器の光心は、前記観察面から前記光軸に沿って少なくとも２００ｍｍの距離に位置する、請求項１〜２７のいずれかに記載の観察器。
【請求項３１】
前記部分透過型反射器における前記光軸によって与えられるものとしての前記観察器の光心は、前記観察面から前記光軸に沿って少なくとも２５０ｍｍの距離に位置する、請求項１〜２７のいずれかに記載の観察器。
【請求項３２】
前記観察面にある前記射出瞳は、３０ｍｍ以下の直径を有する、請求項１〜３１のいずれかに記載の観察器。
【請求項３３】
前記観察面にある前記射出瞳は、２５ｍｍ以下の直径を有する、請求項１〜３１のいずれかに記載の観察器。
【請求項３４】
前記観察器の前記光軸からずれている、前記物体を照明するための複数の光源を含む照明器をさらに備える、請求項１〜３３のいずれかに記載の観察器。
【請求項３５】
前記光源は、前記光軸の周囲に配置されている点光源、任意選択的にＬＥＤを含む、請求項３４に記載の観察器。
【請求項３６】
前記対物レンズおよび複数の追加のレンズを備えるズーム対物レンズをさらに備える、請求項１〜３５のいずれかに記載の観察器。
【請求項３７】
前記部分透過型反射器は、前記対物レンズからの光を第１の光成分および第２の光成分を有するように分割するためのビームスプリッタであり、前記最初に言及したミラー装置は、前記ビームスプリッタから前記第１の光成分を受け取り、
前記観察器は、第２のミラー装置であって、前記ビームスプリッタから前記第２の光成分を受け取り、前記物体の第２の合焦像が前記第２のミラー装置において生成され、前記第２のミラー装置によって受け取られる光が前記ビームスプリッタへと反射され、中継されて前記物体の像が生成されるように配置されている、第２のミラー装置をさらに備え、
前記ミラー装置は、それぞれの前記ミラー装置によって中継されるものとしての前記射出瞳の瞳孔中心が、前記観察者の瞳孔間間隔に応じてずれるように方向付けられており、前記観察用レンズ装置は、両方の前記射出瞳を中継し、それによって、それぞれの前記ミラー装置からの前記射出瞳が前記観察者のそれぞれの眼に中継されることが可能であり、前記観察者の各眼に前記物体の異なる立体視差ビューがもたらされる、請求項１〜３６のいずれかに記載の観察器。
【請求項３８】
前記第２のミラー装置によって受け取られる前記光成分は、前記ビームスプリッタで反射される、請求項３７のいずれかに記載の観察器。
【請求項３９】
前記第２のミラー装置から受け取られ、前記ビームスプリッタによって中継される前記光は、前記ビームスプリッタを通過する、請求項３７または３８に記載の観察器。
【請求項４０】
任意のまたは各ミラー装置は、ミラーと、前記ミラーの表面にある球面レンズとを備える、請求項１〜３９のいずれかに記載の観察器。
【請求項４１】
前記ミラーは平面鏡を含む、請求項４０に記載の観察器。
【請求項４２】
前記ミラーは非球面鏡を含む、請求項４０に記載の観察器。
【請求項４３】
任意のまたは各ミラー装置は凹面鏡を含む、請求項１〜４２のいずれかに記載の観察器。